(57)【要約】【課題】            この発明は石油燃焼器の芯にタールが付着したことを検出して、タールの付着がひどくなる前に対応できるようにする安全装置に関する。【解決手段】        油タンク１の底板から立設した芯内筒２と、油タンク１の上面板に取付けた芯外筒３とで構成する芯収容筒４の上に石油燃焼器のバーナ５を配置し、芯収容筒４の間隙に芯６を上下動自在に取付け、芯６を上下動する芯上下装置７を設ける。芯内筒２の内部空間Ａに配置した芯内筒２の上部の温度を検出する温度検出手段８と、芯上下装置７の芯上下操作によって開閉して石油燃焼器の運転・停止を出力する運転スイッチ９と、消火操作時の運転スイッチ９の運転停止信号によってカウント開始するタイマ手段１０とを設け、消火操作から所定時間経過後に温度検出手段８によって芯内筒２の上部の温度を検出し、温度検出手段８の検出温度が所定温度以上のときは警報手段１１を作動して使用者に異常を知らせる。【選択図】          図１
2006207978.tif 000002
【特許請求の範囲】
【請求項１】
油タンク１の底板から立設した芯内筒２と、油タンク１の上面板に取付けた芯外筒３とを設け、
芯内筒２と芯外筒３とで構成する芯収容筒４の上に石油燃焼器のバーナ５を配置し、
芯収容筒４の間隙に芯６を上下動自在に取付け、
該芯６を上下動する芯上下装置７を設けた石油燃焼器において、
前記芯内筒２の上部の温度を検出する温度検出手段８と、
芯上下装置７の芯上下操作によって開閉して石油燃焼器の運転・停止を出力する運転スイッチ９と、
所定時間を計時するタイマ手段１０とを設け、
該タイマ手段１０は消火操作時の運転スイッチ９の運転停止信号を受けてカウントを開始し、
所定時間経過後に温度検出手段８によって芯内筒２の上部の温度を検出し、
温度検出手段８が所定温度以上を検出したときに警報手段１１を作動することを特徴とする石油燃焼器の安全装置。
【請求項２】
石油燃焼器は通常消火の芯降下位置よりも緊急消火の芯降下位置を低く設定すると共に、
前記温度検出手段８は芯内筒２の内部空間Ａに取付け、かつ、通常消火の芯降下位置より低く、緊急消火の芯降下位置より高い位置に配置したことを特徴とする請求項１記載の石油燃焼器の安全装置。
【請求項３】
前記温度検出手段８は芯内筒２の内部空間Ａの中心位置に配置したことを特徴とする請求項１記載の石油燃焼器の安全装置。
【請求項４】
前記芯上下装置７には運転スイッチ９を駆動する作動板７ａを取付け、
該作動板７ａは最大燃焼位置と最小燃焼位置との間で運転スイッチ９を閉路とし、
最小燃焼位置と消火位置との間で開路とすることを特徴とする請求項１記載の石油燃焼器の安全装置。
【発明の詳細な説明】
【技術分野】
【０００１】
この発明は、芯上下式石油燃焼器の消火時の安全装置に関する。
【背景技術】
【０００２】
芯上下式石油燃焼器は油タンクから立設した芯内筒と油タンクの上面板に取付けた芯外筒とで芯収容筒を構成し、芯収容筒の間隙に上下動自在に取付けた芯と、芯上下操作を行う芯上下軸とを設け、芯収容筒の上部に燃焼筒を配置している。
【０００３】
芯上下軸を芯上げ方向に回動して芯の上端を芯収容筒の上部に突出させて燃焼筒の下部にのぞませ、点火ヒータなどの点火装置によって芯に着火すると、芯の下端で吸上げられた油タンクの燃料が芯の上端で気化して燃焼筒で空気の供給を受けて燃焼する。また、燃焼中は芯上下軸を操作して芯高さを変更することで燃焼量の調節を行い、芯上下軸を芯下げ方向に回動して芯を消火位置まで降下すると、芯の先端が芯収容筒内に移動して消火するものである（特許文献１参照）。
【特許文献１】実公平６−３１３１７号公報
【発明の開示】
【発明が解決しようとする課題】
【０００４】
石油燃焼器は使用する灯油が正常な灯油であれば気化不良が起こることはなく、油タンクの灯油は芯に吸上げられてバーナの熱で全量が気化して燃焼するが、使用する灯油が１年間持越しなどして変質したり、水などが混入したりした不良灯油であると、気化しにくい高分子量成分が芯の上端でタール化して芯に付着して残るものであり、点火時には芯に付着したタールによって炎の広がりが阻害されて点火不良を起こし、消火時にはタールが付着した部分に炎が残ってしばらくの間は消えないことがあり、消火時間が長くなることがある。
【０００５】
そして、不良灯油を使い続けるとタールの付着量が増加し、芯と芯収容筒の隙間が狭くなって芯上下の妨げとなり、消火時に芯が芯収容筒内に下がらなくなって消火不能となることがある。しかも、消火不能の状態となっても使用者が気付かないことがあり、石油燃焼器がそのまま燃焼を続けてしまい、不完全燃焼ガスの発生や火災などの重大なトラブルにつながる恐れがあった。
【０００６】
また、燃焼量の調節ができるものには燃料量の調節範囲が表示されているものの、燃焼量の調節範囲における芯の移動距離はわずかであるため、手動による燃焼量調節は難しく、芯を下げすぎて使用してしまうことがあり、不完全燃焼を起こす恐れがある。
【０００７】
更に、芯を下げた状態で燃焼を続けると芯内筒が高温となって灯油の気化が促進され、バーナの燃焼量に対して灯油の気化量が多くなり、気化した灯油蒸気の一部は燃焼に使用されずにバーナ内で結露して芯に戻ってしまう。この場合正常な灯油を使用していても、灯油は一度気化すると変質してしまうため、結露して芯に戻った灯油がタール化して芯に付着する原因となるものであり、このため最適使用範囲を知らせることがのぞましい。
【課題を解決するための手段】
【０００８】
この発明は上記の課題を解決するもので、油タンク１の底板から立設した芯内筒２と、油タンク１の上面板に取付けた芯外筒３とを設け、芯内筒２と芯外筒３とで構成する芯収容筒４の上に石油燃焼器のバーナ５を配置し、芯収容筒４の間隙に芯６を上下動自在に取付け、該芯６を上下動する芯上下装置７を設けた石油燃焼器において、前記芯内筒２の上部の温度を検出する温度検出手段８と、芯上下装置７の芯上下操作によって開閉して石油燃焼器の運転・停止を出力する運転スイッチ９と、所定時間を計時するタイマ手段１０とを設け、該タイマ手段１０は消火操作時の運転スイッチ９の運転停止信号を受けてカウントを開始し、所定時間経過後に温度検出手段８によって芯内筒２の上部の温度を検出し、温度検出手段８が所定温度以上を検出したときに警報手段１１を作動することを特徴とするものである。
【０００９】
また、石油燃焼器は通常消火の芯降下位置よりも緊急消火の芯降下位置を低く設定すると共に、前記温度検出手段８は芯内筒２の内部空間Ａに取付け、かつ、通常消火の芯降下位置より低く、緊急消火の芯降下位置より高い位置に配置したことで、燃焼中はバーナ５の熱による加熱が抑えられると共に、消火時には芯内筒２の温度を正確に検出できるものである。
【００１０】
また、温度検出手段８は芯内筒２の内部空間Ａの中心位置に配置し、芯内筒２の内部空間Ａの雰囲気温度を検出するので、消火時に部分的に炎が残って芯内筒２の内壁面の温度差が生じたときでも、芯内筒２の内部空間Ａの雰囲気温度は芯６に残る炎の位置に関係なく上昇するので、消火時の温度を正確に検出できるものである。
【００１１】
また、芯上下装置７には運転スイッチ９を駆動する作動板７ａを取付け、該作動板７ａは最大燃焼位置と最小燃焼位置との間で運転スイッチ９を閉路とし、最小燃焼位置と消火位置との間で開路とするものであり、燃焼量調節の際に芯６を下げすぎてしまったときは運転スイッチ９が運転停止信号を出してタイマ手段１０が作動し、所定時間後に温度検出手段８が所定温度以上を検出して警報手段１１を作動するので、使用者に燃焼量の調節範囲を知らせることができる。
【発明の効果】
【００１２】
芯６にタールが付着すると、消火時にタールが付着した部分に炎が残り、消火時間が通常より長くなることがあり、消火時間が長くなればバーナ５や芯収容筒４の上部の温度が低下するまでの時間も長くなる。この発明は消火操作時に運転スイッチ９の運転停止信号を受けて作動するタイマ手段１０と、芯収容筒４の上部の温度を検出する温度検出手段８とを備え、消火操作から所定時間経過後に温度検出手段８によって芯収容筒４の上部の温度を検出するものであり、消火時間が長くなったときは温度検出手段８が所定温度以上を検出するので、芯６のタールの付着が検出できるものとなった。
【００１３】
そして、温度検出手段８が所定温度以上を検出したときは警報手段１１が作動して使用者に知らせるので、使用者が芯６の空焼きを行うことで芯６に付着したタールが燃焼してタールが除去できるものであり、タールの付着量が多くなる前にタールを除去できるので、消火不能となるトラブルを未然に防ぐことができるものとなった。
【００１４】
また、芯６へのタールの付着や消火時の操作ミスなどによって芯６が芯収容筒４内に下がりきらずに消火不能となったときも警報手段１１が作動するので、使用者が異常に気付いて対応できるものとなり、不完全燃焼ガスの発生や火災などの重大なトラブルを防ぐことができるものとなった。
【００１５】
上記構成において、芯内筒２の上面はバーナ５の熱によって加熱されて高温となるので温度検出手段８の耐熱性の問題があり、バーナ５から離れた芯内筒２の下部は芯６が吸上げた燃料によって温度が低く抑えられるため、消火時に芯６の先端に炎が残っても温度変化がほとんどなく、消火時に正確な温度検出ができない。この発明の温度検出手段８は、通常消火の芯降下位置より低く、緊急消火の芯降下位置よりも高い位置に配置したもので、燃焼中のバーナ５による温度上昇が抑えられるので、耐熱温度の低い安価な温度検出手段８が使用でき、石油燃焼器の価格の上昇を抑えることができると共に、消火時には芯６で吸上げた低温度の燃料の影響を受けることなく正確な温度が検出できるものとなり、タールの付着を確実に検出できるものとなった。
【００１６】
また、温度検出手段８を芯内筒２の内部空間Ａの中心位置に配置すれば、消火時に芯６に部分的に炎が残って芯内筒２の内壁面に温度差が生じても、温度検出手段８を配置した芯内筒２の内部空間Ａの雰囲気温度は上昇するので、消火時に芯６に炎が残って消火時間が長くなったときに確実に温度検出ができるものとなり、タールの付着を確実に検出できるものとなった。
【００１７】
また、芯上下装置７には運転スイッチ９の入・切を行う作動板７ａを設け、燃焼量調節の際に芯６を下げすぎて燃焼量調節範囲を外れたときは、作動板７ａが運転スイッチ９から離開し、運転スイッチ９の運転停止信号を受けてタイマ手段１０が作動し、所定時間経過後には温度検出手段８が所定温度以上を検出して警報手段１１が作動するので、使用者が芯６の下げすぎに気付くことができ、芯６を下げた状態のまま使用を続けることがなくなって芯６へのタールの付着が防止できると共に、不完全燃焼防止の安全装置として利用できるものである。
【発明を実施するための最良の形態】
【００１８】
図に示す実施例によってこの発明を説明すると、１は石油燃焼器の油タンク、２は油タンク１の底板から立設した芯内筒、３は油タンク１の上面板に取付けた芯外筒、４は芯内筒２と芯外筒３とで構成する芯収容筒、６は芯収容筒４の間隙に装着した芯であり、油タンク１内の燃料は芯６の下端で吸上げられて芯６の上端に供給される。
【００１９】
７は芯収容筒４に取付けた芯上下装置、７ｂは芯収容筒４の外側方から挿通して取付けた芯上下装置７を構成する芯上下軸、７ｃは芯上下軸７ｂの外方端に取付けた芯上下つまみであり、芯上下つまみ７ｃを操作して芯上下軸７ｂを回動すると芯収容筒４の間隙内を芯６が上下動する。
【００２０】
５は芯内筒２と芯外筒３の上部に配置した燃焼筒で構成するバーナであり、芯上下軸７ｂを芯上げ方向に回動して芯６の上端を芯収容筒４の上部に突出させ、図示しない点火装置によって芯６に着火すると、芯６の下端で吸上げられた油タンク１の燃料が芯６の上端で燃焼を開始し、発生する燃焼炎と燃焼ガスはバーナ５で空気の供給を受けて燃焼を完了する。
【００２１】
１２は芯上下軸７ｂに遊嵌して芯上下軸７ｂを中心に回動する歯車で構成した回動板、１３は芯上下軸７ｂに設けた係止片、１４は回動板１２に設けた突部であり、芯上下軸７ｂを芯上げ方向に回動すると係止片１３が突部１４を押すので、芯上下軸７ｂと一緒に回動板１２が回動する。
【００２２】
１５は芯収容筒４壁と回動板１２との間に取付けた戻しバネ、１６は芯上げ位置の回動板１２と係合するストッパーであり、回動板１２は芯上げ動作時に戻しバネ１５を巻き上げ、芯上げ位置で回動板１２がストッパー１６と係合すると回動板１２には戻しバネ１５による芯下げ方向への回転力が保持される。
【００２３】
１７は回動板１２に係合したストッパー１６を可動する感震器であり、感震器１７が振動を検出するとストッパー１６を可動して回動板１２とストッパー１６との係合を外し、ストッパー１６が外れた回動板１２は戻しバネ１５の力で芯下げ方向に回動し、突部１４が係止片１３を押すから回動板１２と一緒に芯上下軸７ｂが芯下げ方向に回動し、芯６が芯収容筒４内に急速に降下して消火する。
【００２４】
また、芯上下軸７ｂは回動板１２とストッパー１６とが係合した状態で係止片１３が突部１４から離れて独立して回動可能に設けてあり、芯上下軸７ｂの操作によって任意に芯６の高さを変更できるようになっており、燃焼中は最大燃焼位置と最小燃焼位置の間で芯高さを変更することで燃焼量の調節を行うことができ、芯上下軸７ｂを消火位置まで回動すれば芯６が芯収容筒４内に降下して消火する。
【００２５】
感震器１７が作動する緊急消火時は、芯６が芯収容筒４内に急速に降下して短時間で消火するため、多量の未燃ガスが放出されて悪臭を発生させるものである。このため、通常消火の芯降下位置を緊急消火の芯降下位置より高い位置に設定し、手動で芯上下軸７ｂを回動して消火操作する通常消火時は、未燃ガスを燃焼しながらゆっくりと消火することで悪臭のない消火を行っている。
【００２６】
また最近は室内の異常を検出して石油燃焼器を消火する安全装置を備えたものがあり、９は芯上下操作と連動して開閉して石油燃焼器の運転・停止を出力する運転スイッチ、１８は石油燃焼器を使用する室内の温度を検出する温度センサやサーミスタなどで構成した室温検出手段、１９はストッパー１６の可動端の下部に配置したソレノイドであり、芯上下装置７によって芯６を燃焼位置に上昇すると運転スイッチ９が閉路となり、室温検出手段１８が通電され、燃焼中に室温検出手段１８が異常温度上昇を検出すると、ソレノイド１９に起動信号を送り、ソレノイド１９がストッパー１６を可動するので、芯６が芯収容筒４内に降下して消火する。
【００２７】
上記構成において、変質灯油や水の混入した灯油を使用すると、灯油に含まれるタール成分が燃焼できず、タール化して芯６の先端に残る。また、正常な灯油を使用していても燃焼量の調節範囲を外れた状態で燃焼させると、芯６の先端の炎が芯内筒２に近づいて芯内筒２が高温となり、灯油の気化が促進されて芯６からの灯油の気化量が多くなるが、灯油の気化量に対してバーナ５の燃焼量が小さいため、バーナ５で燃焼できない灯油蒸気が結露して芯６に戻り、芯６に戻された燃料はタール化して芯６の先端に残るものであった。
【００２８】
芯６にタールが付着すると、通常消火時に芯６に付着したタールが燃焼を続けて消火時間が長くなり、規定の消火時間を越えてしまうことがある。また、芯６の先端に付着するタールの量が多くなると、芯６と芯収容筒４との隙間が狭くなって芯上下操作の妨げとなり、消火時に芯６が芯下げ途中で止まって消火位置まで下がらなくなり、緊急時に消火できなくなって重大な事故につながる恐れがあった。
【００２９】
この発明は上記の課題を解決するもので、７ａは芯上下装置７の芯上下軸７ｂに取付けられて芯上下軸７ｂと一緒に回動する作動板であり、該作動板７ａは芯上下軸７ｂを回動して芯５を燃焼位置まで上昇したときに運転スイッチ９と接触して運転スイッチ９を閉路とし、燃焼中に芯上下軸７ｂを芯下げ方向に回動して消火操作を行うと運転スイッチ９から離開して運転スイッチ７が開路となるように配置されている。
【００３０】
８は芯内筒２の内部空間Ａに配置して芯内筒２の上部の温度を検出する温度センサやサーミスタなどで構成する温度検出手段、１０は運転スイッチ９の運転停止信号を受けて作動するタイマ手段、２０は温度検出手段８で検出される温度データを入力する判定手段であり、石油燃焼器の燃焼中に芯上下軸７ｂを消火位置まで回動して運転スイッチ９が開路となると、この信号を受けてタイマ手段１０がカウントを開始し、タイマ手段１０が所定時間カウントすると判定手段２０に起動信号を出力し、判定手段２０が温度検出手段８の信号を入力する。
【００３１】
判定手段２０には判定基準となる所定温度が設定されており、判定手段２０は設定された所定温度と温度検出手段８の温度データに基づいて判定動作を行い、温度検出手段８が所定温度以下を検出したときは、芯６のタールの付着がなく規定の消火時間で消火が行われていると判断し、判定動作を終了して石油燃焼器の運転を停止する。
【００３２】
１１は警報ブザーや警報ランプ等で構成した警報手段であり、温度検出手段８が所定温度以上を検出したときは、芯６に付着したタールによって消火時間が長くなったものと判断し、警報手段１１は温度検出手段８が所定温度以上を検出したときに作動するものであり、使用者は警報手段１１の作動によって芯６へのタールの付着を知ることができる。
【００３３】
芯６にタールが付着しても、タールの付着量が少ないときに芯６の空焼きを行えば、芯６の先端の温度が高くなりタールが燃焼して芯６に付着したタールを除去できるものであり、この発明では芯６に多量のタールが付着する前に芯６の空焼きの時期を知らせることができるので、警報手段１１の作動を受けて使用者が芯６の空焼きを行うことで、消火不能や芯上下装置７の破損などのトラブルを未然に防ぐことができるものとなった。
【００３４】
また、使用者が芯６の空焼きを行わずに使用を続けてしまい、タールの付着量が増加したときや、使用者が操作ミスをしたときは、消火時に芯６が芯収容筒４内に降下できずに消火不能となるが、このときも消火操作から所定時間経過後に所定温度以上を検出して警報手段１１が作動するので、使用者が異常に気付くことができ、消火不能のトラブルを防ぐことができるものとなった。
【００３５】
ところで、芯内筒２の天板付近はバーナ５の熱によって高温となるため、温度検出手段８を上記範囲より高くすると耐熱温度の高い温度検出手段８が必要となり、このような温度検出手段８は高価であるためコストアップの要因となる。一方、芯内筒２の下部はバーナ５の熱の影響を受けにくくなるが、芯内筒２に接する芯６が温度の低い燃料を吸上げているため、上記範囲より低くすると消火操作後に芯６に炎が残ったときでも芯内筒２の下部では温度が低いままとなり、正確な温度が検出できないことがある。
【００３６】
この発明の実施例において、温度検出手段８は通常消火の芯降下位置よりも低く、緊急消火の芯降下位置よりも高い位置に配置したものであり、図に示す実施例の温度検出手段８は緊急消火の芯降下位置と通常消火の芯降下位置との中間に位置するように配置している。
【００３７】
このように温度検出手段８の取付け位置を特定することにより、温度検出手段８がバーナ５の熱で直接加熱されることはなく、また、芯内筒２の内部空間Ａにはバーナ５のドラフトによる上昇気流によって芯内筒２の下部から上方に向かう空気流が形成されており、この空気流によって温度検出手段８の温度上昇が抑えられるので、耐熱温度の低い温度検出手段８を使用できるものであり、温度検出手段８は安価で耐熱温度の低い室温検出手段１８との共通化ができ、ストーブの価格の上昇をおさえることができた。
【００３８】
また、消火時には芯６で吸上げた低温度の燃料の影響を受けることがなく、芯６のタールが付着した部分に炎が残って芯内筒２の上部の温度が上昇したときには確実に温度変化が検出でき、芯６のタールの付着を確実に検出することができるものとなった。
【００３９】
また、芯６に付着して残るタールの量は付着する位置によってばらつきがあり、タールが付着した部分には炎が残るが、タールの付着していない部分には炎が残らないものであり、炎が残る部分と炎がない部分とで芯内筒２の内壁面の温度差が生じるものである。この発明では温度検出手段８を芯内筒２の内部空間Ａの中心位置に配置し、芯内筒２の内部空間Ａの雰囲気温度を検出する構成としたものであり、芯内筒２の内部空間Ａの雰囲気温度は芯６の先端に残る炎の位置に関係なく変化するので、温度検出手段８は正確な温度検出ができ、芯６のタールの付着を確実に検出できる。
【００４０】
また、この発明の他の実施例では、芯上下軸７ｂに設けた作動板７ａの形状を最大燃焼位置と最小燃焼位置との間で運転スイッチ９を閉路とし、最小燃焼位置と消火位置との間で開路となるようにしたものであり、燃焼中に最小燃焼位置で使用するために芯高さを変更したときに、芯６を下げすぎて燃焼量の調節範囲を外れると作動板７ａが運転スイッチ９から離開するので、タイマ手段１１がカウントを開始し、所定時間経過後に判定手段１８が作動して温度検出手段８の検出温度を入力するものであり、芯収容筒４の上部は高温であるから、所定温度以上が検出されて警報手段１１が作動するものである。
【００４１】
したがって、使用者が芯６の下げすぎに気付いて芯６を燃焼位置まで戻すので、燃焼量の調節範囲を外れた状態のまま使用を続けることはなくなり、芯６の下げすぎによる不完全燃焼ガスの発生や芯６へのタールの付着を防止することができる。
【図面の簡単な説明】
【００４２】
【図１】この発明の実施例を示す石油燃焼器の側断面図である。
【図２】この発明の実施例を示す石油燃焼器の要部の正面図である。
【図３】この発明の実施例を示す石油燃焼器の安全装置の構成を示すブロック図である。
【符号の説明】
【００４３】
１    油タンク
２    芯内筒
３    芯外筒
４    芯収容筒
５    バーナ
６    芯
７    芯上下装置
７ａ  作動板
８    温度検出手段
９    運転スイッチ
１０    タイマ手段
１１    警報手段
【図１】
2006207978.tif 000003
【図２】
2006207978.tif 000004
【図３】
2006207978.tif 000005